(57)【要約】【課題】利便性を向上できる冷蔵庫を提供する。【解決手段】収納ケース３５の前壁３５ａ及び後壁３５ｂに設けた可動部５０と、収納ケース３５の両側壁３５ｃに設けた可動部６０と、可動部５０間を連結する縦仕切部４１と、可動部６０間を連結する横仕切部４２と、縦仕切部４１と横仕切部４２との交差位置に配される操作部８０とを備え、操作部８０を移動して縦仕切部４１及び横仕切部４２を平行移動させる冷蔵庫１において、縦仕切部４１または横仕切部４２が上下に並設される第１連結体４１ａ及び第２連結体４１ｂを有し、第１連結体４１ａの上端の高さＨ１が収納ケース３５の天井面の高さＨ０の５０％よりも大きく、第２連結体４１ｂの上端の高さＨ２が第１連結体４１ａの上端の高さＨ１の５０％よりも大きい。【選択図】図６
2015190728.tif 000002
【特許請求の範囲】
【請求項１】
貯蔵室内に前後方向にスライド可能に配される収納ケースと、前記収納ケースの前壁及び後壁に沿って左右方向に移動可能な一対の第１可動部と、前記収納ケースの両側壁に沿って前後方向に移動可能な一対の第２可動部と、第１可動部間を連結して前記収納ケース内を左右に仕切る縦仕切部と、前記縦仕切部と異なる高さに配されるとともに第２可動部間を連結して前記収納ケース内を前後に仕切る横仕切部と、前記縦仕切部と前記横仕切部との交差位置に配される操作部とを備え、前記操作部を左右方向及び前後方向に移動して前記縦仕切部及び前記横仕切部を平行移動させる冷蔵庫において、前記縦仕切部及び前記横仕切部の少なくとも一方が上下に並設される第１連結体及び第２連結体を有し、前記収納ケースの底壁の内面から第１連結体の上端までの高さが前記収納ケースの上方を覆う天井面までの高さの５０％よりも大きく、第２連結体の上端までの高さが第１連結体の上端までの高さの５０％よりも大きいことを特徴とする冷蔵庫。
【請求項２】
前記収納ケースの底壁の内面から第２連結体の上端までの高さが前記収納ケースの前記天井面までの高さの５０％よりも小さいことを特徴とする請求項１に記載の冷蔵庫。
【請求項３】
前記収納ケースの底壁の内面から第１連結体の上端までの高さが前記収納ケースの前記天井面までの高さの６０％よりも小さく、第２連結体の上端までの高さが第１連結体の上端までの高さの６０％よりも小さいことを特徴とする請求項１に記載の冷蔵庫。
【請求項４】
前記縦仕切部が第１連結体及び第２連結体を有するとともに、前記横仕切部が第１連結体及び第２連結体を有し、第１連結体及び第２連結体が棒状部材、帯状部材または板状部材から成ることを特徴とする請求項１〜請求項３のいずれかに記載の冷蔵庫。
【請求項５】
前記縦仕切部及び前記横仕切部の一方が第１連結体及び第２連結体を有するとともに、他方が第１連結体及び第２連結体の間に配される板状部材から成り、前記収納ケースの底壁の内面から前記板状部材の上端までの高さが前記収納ケースの前記天井面までの高さの５０％よりも大きく、前記板状部材の下端が第２連結体に近接することを特徴とする請求項１〜請求項３のいずれかに記載の冷蔵庫。
【発明の詳細な説明】
【技術分野】
【０００１】
本発明は、収納ケース内に仕切りを設けた冷蔵庫に関する。
【背景技術】
【０００２】
従来の冷蔵庫は特許文献１に開示されている。この冷蔵庫は複数の貯蔵室を備え、所定の貯蔵室が収納ケースを保持して前後にスライドする扉により開閉される。収納ケースには内部を左右に仕切る縦仕切部と、前後に仕切る横仕切部が設けられる。
【０００３】
縦仕切部は上下に並設される棒状の第１縦連結体及び第２縦連結体の前後端を連結した環状に形成される。横仕切部も同様に、上下に並設される棒状の第１横連結体及び第２横連結体の左右端を連結した環状に形成される。第１縦連結体及び第１横連結体は収納ケースの上端部に異なる高さで配置される。第２縦連結体及び第２横連結体は収納ケースの底壁に沿って異なる高さに配置される。
【０００４】
収納ケースの前壁及び後壁には壁面に沿って左右方向に移動可能な一対の第１可動部が設けられ、縦仕切部は一対の第１可動部間に連結される。収納ケースの両側壁には壁面に沿って前後方向に移動可能な一対の第２可動部が設けられ、横仕切部は一対の第２可動部間に連結される。
【０００５】
縦仕切部と前記横仕切部との交差位置には操作部が配される。操作部は前後方向に貫通した第１挿通部と、左右方向に貫通した第２挿通部とを有している。第１挿通部には縦仕切部の上端の第１縦連結体が挿通され、第２挿通部には横仕切部の上端の第１横連結体が挿通される。
【０００６】
操作部を把持して左右方向に移動させると、第２挿通部の内面が横仕切部の上端の第１縦連結体上を摺動し、縦仕切部が左右方向に平行移動する。同様に、操作部を把持して前後方向に移動させると、第１挿通部の内面が縦仕切部の上端の第１縦連結体上を摺動し、横仕切部が前後方向に平行移動する。これにより、収納ケース内を所望の位置で仕切ることができる。
【先行技術文献】
【特許文献】
【０００７】
【特許文献１】米国特許出願公開第２０１０／０３１９３９１号（第３図、第５図）
【発明の概要】
【発明が解決しようとする課題】
【０００８】
しかしながら、上記従来の冷蔵庫によると、棒状に形成される第１縦連結体及び第１横連結体が収納ケースの上部に配され、第２縦連結体及び第２横連結体が収納ケースの底壁に沿って配される。このため、収納ケース内に立設された比較的細長い貯蔵物が第１縦連結体よりも低いと、第２縦連結体により支持できず転倒する場合がある。同様に、収納ケース内に立設された比較的細長い貯蔵物が第１横連結体よりも低いと、第２横連結体により支持できず転倒する場合がある。従って、冷蔵庫の利便性が悪い問題があった。
【０００９】
本発明は、利便性を向上できる冷蔵庫を提供することを目的とする。
【課題を解決するための手段】
【００１０】
上記目的を達成するために本発明は、貯蔵室内に前後方向にスライド可能に配される収納ケースと、前記収納ケースの前壁及び後壁に沿って左右方向に移動可能な一対の第１可動部と、前記収納ケースの両側壁に沿って前後方向に移動可能な一対の第２可動部と、第１可動部間を連結して前記収納ケース内を左右に仕切る縦仕切部と、前記縦仕切部と異なる高さに配されるとともに第２可動部間を連結して前記収納ケース内を前後に仕切る横仕切部と、前記縦仕切部と前記横仕切部との交差位置に配される操作部とを備え、前記操作部を左右方向及び前後方向に移動して前記縦仕切部及び前記横仕切部を平行移動させる冷蔵庫において、前記縦仕切部及び前記横仕切部の少なくとも一方が上下に並設される第１連結体及び第２連結体を有し、前記収納ケースの底壁の内面から第１連結体の上端までの高さが前記収納ケースの上方を覆う天井面までの高さの５０％よりも大きく、第２連結体の上端までの高さが第１連結体の上端までの高さの５０％よりも大きいことを特徴としている。
【００１１】
また本発明は上記構成の冷蔵庫において、前記収納ケースの底壁の内面から第２連結体の上端までの高さが前記収納ケースの前記天井面までの高さの５０％よりも小さいことを特徴としている。
【００１２】
また本発明は上記構成の冷蔵庫において、前記収納ケースの底壁の内面から第１連結体の上端までの高さが前記収納ケースの前記天井面までの高さの６０％よりも小さく、第２連結体の上端までの高さが第１連結体の上端までの高さの６０％よりも小さいことを特徴としている。
【００１３】
また本発明は上記構成の冷蔵庫において、前記縦仕切部及び前記横仕切部がそれぞれ第１連結体及び第２連結体を有し、第１連結体及び第２連結体が棒状部材、帯状部材または板状部材から成ることを特徴としている。
【００１４】
また本発明は上記構成の冷蔵庫において、前前記縦仕切部及び前記横仕切部の一方が第１連結体及び第２連結体を有するとともに、他方が第１連結体及び第２連結体の間に嵌合される板状部材から成り、前記収納ケースの底壁の内面から前記板状部材の上端までの高さが前記収納ケースの前記天井面までの高さの５０％よりも大きいことを特徴としている。
【発明の効果】
【００１５】
本発明によると、収納ケースの底壁の内面から第１連結体の上端までの高さが収納ケースの上方を覆う天井面までの高さの５０％よりも大きく、第２連結体の上端までの高さが第１連結体の上端までの高さの５０％よりも大きい。これにより、第２連結体よりも高い貯蔵物の転倒を防止することができ、冷蔵庫の利便性を向上することができる。
【図面の簡単な説明】
【００１６】
【図１】本発明の第１実施形態の冷蔵庫を示す側面断面図
【図２】本発明の第１実施形態の冷蔵庫の上段ケースを示す斜視図
【図３】本発明の第１実施形態の冷蔵庫の上段ケースを示す上面図
【図４】本発明の第１実施形態の冷蔵庫の上段ケースを示す正面図
【図５】本発明の第１実施形態の冷蔵庫の上段ケースを示す正面断面図
【図６】本発明の第１実施形態の冷蔵庫の上段ケースを示す側面断面図
【図７】本発明の第１実施形態の冷蔵庫の操作部を示す正面図
【図８】本発明の第１実施形態の冷蔵庫の操作部の把持部を省いた斜視図
【図９】図３のＡ−Ａ断面の操作部を示す縦断面図
【図１０】本発明の第１実施形態の冷蔵庫の上段ケースの操作部を可動範囲の端部に配した状態を示す上面図
【図１１】本発明の第１実施形態の冷蔵庫の上段ケースの操作部を可動範囲の端部に配した状態を示す正面断面図
【図１２】本発明の第２実施形態の冷蔵庫の上段ケースの要部を示す正面断面図
【図１３】本発明の第２実施形態の冷蔵庫の上段ケースの要部を示す側面断面図
【図１４】本発明の第３実施形態の冷蔵庫の上段ケースの要部を示す正面断面図
【図１５】本発明の第３実施形態の冷蔵庫の上段ケースの要部を示す側面断面図
【発明を実施するための形態】
【００１７】
＜第１実施形態＞
以下に図面を参照して本発明の実施形態を説明する。図１は第１実施形態の冷蔵庫を示す右側面断面図である。冷蔵庫１は発泡断熱材を充填した断熱箱体３により形成される本体部２を有している。本体部２の上部には冷蔵室５が設けられる。冷蔵室５の下方には仕切壁１１を介して冷凍室７、８が設けられる。冷凍室７及び冷凍室８は上下方向に並設して連通し、本体部２の前部に配される左右に延びた仕切部１３により区分けされる。
【００１８】
冷凍室８の下方には断熱材を充填した仕切壁１２を介して野菜室９が設けられる。断熱箱体３の下部後方には機械室２０が設けられる。
【００１９】
冷蔵室５は貯蔵物を冷蔵保存し、野菜室９は冷蔵室５よりも高温に維持して野菜等の貯蔵物を冷蔵保存する。冷凍室７及び冷凍室８は貯蔵物を冷凍保存する。機械室２０内には冷凍サイクルを運転する圧縮機２１が配される。
【００２０】
冷蔵室５は左右端でそれぞれ枢支された観音開きの一対の扉１５により開閉される。扉１５の背面にはそれぞれドアポケット１５ａが設けられる。
【００２１】
冷凍室７、冷凍室８及び野菜室９はそれぞれ前後にスライドする扉１７、１８、１９により開閉される。冷凍室７の扉１７の背面には樹脂製の収納ケース３１が一体に形成され、冷凍室７の側壁に設けたレール部１７ａ上を収納ケース３１が摺動して扉１７が収納ケース３１とともにスライドする。
【００２２】
冷凍室８の扉１８には背面の両側部から後方に延びる一対のフレーム１８ａが設けられ、フレーム１８ａ上には樹脂製の収納ケース３２が載置される。フレーム１８ａ内には複数のローラ（不図示）が配され、冷凍室８の両側壁に設けたレール溝（不図示）上をローラが転動して扉１８が収納ケース３２と一体に前後にスライドする。
【００２３】
野菜室９の扉１９も同様に、背面の両側部から後方に延びる一対のフレーム１９ａが設けられ、フレーム１９ａ上には樹脂製の収納ケース３３が載置される。フレーム１９ａ内には複数のローラ（不図示）が配され、野菜室９の両側壁に設けたレール溝（不図示）上をローラが転動して扉１９が収納ケース３３と一体に前後にスライドする。
【００２４】
また、野菜室９の収納ケース３３は下方に配してフレーム１９ａ上に載置される下段ケース３４と、下段ケース３４上に載置される上段ケース３５とを有している。上段ケース３５は下段ケース３４上を摺動して前後にスライドする。
【００２５】
下段ケース３４の上方は上段ケース３５により覆われ、上段ケース３５の上方は仕切壁１２により覆われる。仕切壁１２により上段ケース３５の天井面が形成される。上段ケース３５の上方を覆う着脱可能なカバーを設け、該カバーにより上段ケース３５天井面を形成してもよい。
【００２６】
冷凍室７、８の背面部には冷気通路２４が設けられ、冷蔵室５の背面部には冷気通路２４とダンパ（不図示）を介して連通する冷気通路２５が設けられる。冷気通路２４には冷却器２２及び送風機２３が配され、冷凍室７に臨む吐出口２４ａ及び冷却器２２に冷気を戻す戻り口２４ｂが開口する。冷却器２２は圧縮機２１に接続され、冷気を生成する。
【００２７】
冷気通路２５には冷蔵室５に臨む吐出口２５ａが開口し、冷蔵室５からは野菜室９に連通する連通路（不図示）が導出される。野菜室９には冷却器２２に冷気を戻す戻り口（不図示）が設けられる。
【００２８】
圧縮機２１及び送風機２３の駆動によって冷気通路２４を流通する空気が冷却器２２と熱交換して冷気が生成され、吐出口２４ａから冷凍室７に吐出される。冷凍室７に吐出された冷気により冷凍室７及び冷凍室８内が冷却され、冷凍室７及び冷凍室８を流通した冷気は戻り口２４ｂを介して冷却器２２に戻る。これにより、冷凍室７及び冷凍室８内が氷点よりも低温に維持される。
【００２９】
また、ダンパが開かれると冷気通路２４を流通する冷気の一部が冷気通路２５に流入し、吐出口２５ａから冷蔵室５に吐出される。冷蔵室５に吐出された冷気により冷蔵室５内が冷却され、冷蔵室５内が氷点よりも高温に維持される。冷蔵室５を流通した冷気は連通路を介して野菜室９に流入し、野菜室９が冷蔵室５よりも高温に維持される。野菜室９を流通した冷気は戻り口を介して冷却器２２に戻る。
【００３０】
図２、図３、図４は野菜室９の収納ケース３３の上段ケース３５を示す斜視図、上面図及び正面図である。上段ケース３５の両側端部の下面には下段ケース３４（図１参照）の側壁上に載置される脚部３５ｄが突設される。
【００３１】
上段ケース３５の前壁３５ａ及び後壁３５ｂ上にはそれぞれ壁面に沿って左右方向に移動する一対の可動部５０（第１可動部）が設けられる。上段ケース３５の両側壁３５ｃ上にはそれぞれ壁面に沿って前後方向に移動する一対の可動部６０（第２可動部）が設けられる。
【００３２】
前後の可動部５０は縦仕切部４１により連結される。縦仕切部４１は上下に並設された棒状部材から成る第１縦連結体４１ａ（第１連結体）及び第２縦連結体４１ｂ（第２連結体）を有している。第１縦連結体４１ａ及び第２縦連結体４１ｂがそれぞれ可動部５０を連結する。
【００３３】
左右の可動部６０は横仕切部４２により連結される。横仕切部４２は上下に並設された金属の棒状部材から成る第１横連結体４２ａ（第１連結体）及び第２横連結体４２ｂ（第２連結体）を有している。第１横連結体４２ａ及び第２横連結体４２ｂがそれぞれ可動部６０を連結する。また、横仕切部４２は縦仕切部４１と異なる高さに配置される。本実施形態では上方から順に第１横連結体４２ａ、第１縦連結体４１ａ、第２横連結体４２ｂ、第２縦連結体４１ｂが配される。
【００３４】
縦仕切部４１と横仕切部４２との平面視した際の交差位置には操作部８０が設けられる。操作部８０は縦仕切部４１を形成する上端の第１縦連結体４１ａ及び横仕切部４２を形成する上端の第１横連結体４２ａを保持する。詳細を後述するように、操作部８０の操作によって縦仕切部４１及び横仕切部４２が平行移動する。
【００３５】
図５、図６は上段ケース３５の正面断面図及び側面断面図を示している。上段ケース３５の前壁３５ａ及び後壁３５ｂには左右方向に延びるレール部材７２が取り付けられる。上段ケース３５の両側壁３５ｃには前後方向に延びるレール部材７７が取り付けられる。
【００３６】
レール部材７２、７７は上段ケース３５の内部に臨む一面を開口した断面Ｃ字状に形成される。レール部材７２によって左右方向に延びる案内溝７０が両側壁３５ｃまで延びて形成される。また、レール部材７７によって前後方向に延びる案内溝７５が前壁３５ａ及び後壁３５ｂまで延びて形成される。レール部材７２、７７には上下端からそれぞれ上下方向に突出して案内溝７０、７５の上下幅を規制する係止部７２ａ、７７ａが設けられる。
【００３７】
可動部５０、６０はそれぞれ案内溝７０、７５に嵌合する嵌合部５２、６２を有している。案内溝７０、７５に嵌合部５２、６２が摺動案内され、可動部５０、６０が可動する。
【００３８】
嵌合部５２、６２の奥行方向の一端にはレール部材７２、７７内で上下方向に延びるフランジ部５３、６３が設けられる。レール部材７２、７７は両端を開放してフランジ部５３、６３が一端部から挿入され、係止部７２ａ、７７ａによってフランジ部５３、６３の一面が覆われる。これにより、可動部５０、６０がレール部材７２、７７に保持され、可動部５０、６０の脱落が防止される。
【００３９】
嵌合部５２、６２の他端には上段ケース３５の周壁に沿って上下方向に延びる延設部５４、６４が設けられる。延設部５４、６４の上下の両端部には上段ケース３５の内部に向けて突出する規制部５５、６５が設けられる。規制部５５、６５には挿通孔５０ａ、６０ａがそれぞれ設けられる。
【００４０】
上方の規制部５５の挿通孔５０ａには第１縦連結体４１ａが嵌合し、下方の規制部５５の挿通孔５０ａには第２縦連結体４１ｂが嵌合する。また、上方の規制部６５の挿通孔６０ａには第１横連結体４２ａが嵌合し、下方の規制部６５の挿通孔６０ａには第２横連結体４２ｂが嵌合する。
【００４１】
第１、第２縦連結体４１ａ、４１ｂは野菜室９の冷却時に挿通孔５０ａにすきま嵌めされる。第１、第２横連結体４２ａ、４２ｂは野菜室９の冷却時に挿通孔６０ａにすきま嵌めされる。また、挿通孔５０ａ、６０ａの深さＤ１は第１、第２縦連結体４１ａ、４１ｂ及び第１、第２横連結体４２ａ、４２ｂの嵌合深さＤ２よりも大きく形成される。これにより、第１、第２縦連結体４１ａ、４１ｂ及び第１、第２横連結体４２ａ、４２ｂの両端面には空間部Ｓが形成される。
【００４２】
第１、第２縦連結体４１ａ、４１ｂ及び第１、第２横連結体４２ａ、４２ｂは金属により形成され、上段ケース３５は樹脂により形成される。このため、野菜室９内の冷却によって上段ケース３５の収縮量が縦仕切部４１及び横仕切部４２の収縮量よりも大きくなる。
【００４３】
この時、第１、第２縦連結体４１ａ、４１ｂの端面が挿通孔５０ａの底面を押圧すると、嵌合部５２の奥行方向の端面が案内溝７０の底面に圧接される。同様に、第１、第２横連結体４２ａ、４２ｂ端面が挿通孔６０ａの底面を押圧すると、嵌合部６２の奥行方向の端面が案内溝７５の底面に圧接される。これにより、可動部５０、６０の移動が困難になる。このため、空間部Ｓを設けることにより、野菜室９の冷却による可動部５０、６０の移動時の操作性低下を防止することができる。
【００４４】
上段ケース３５の収納領域は、底壁３５ｅの内面から天井面を形成する仕切壁１２までの高さＨ０を有する。上段ケース３５の底壁３５ｅの内面から第１縦連結体４１ａの上端までの高さＨ１は、収納領域の高さＨ０の５０％よりも大きく形成される。また、上段ケース３５の底壁３５ｅの内面から第２縦連結体４１ｂの上端までの高さＨ２は、第１縦連結体４１ａの高さＨ１の５０％よりも大きく形成される。尚、以下の説明において、高さＨ１、Ｈ２を「第１縦連結体の高さＨ１」、「第２縦連結体の高さＨ２」という場合がある。
【００４５】
同様に、上段ケース３５の底壁３５ｅの内面から第１横連結体４２ａの上端までの高さＨ４は、収納領域の高さＨ０の５０％よりも大きく形成される。また、上段ケース３５の底壁３５ｅの内面から第２横連結体４２ｂの上端までの高さＨ５は、第１横連結体４２ａの高さＨ４の５０％よりも大きく形成される。尚、以下の説明において、高さＨ４、Ｈ５を「第１横連結体の高さＨ４」、「第２横連結体の高さＨ５」という場合がある。
【００４６】
上部ケース３５内に比較的細長い貯蔵物を立設して収納する際に、貯蔵物は縦仕切部４１や横仕切部４２にもたれ掛けて支持される。貯蔵物の重心が第２縦連結体４１ｂよりも低い場合は、貯蔵物を第２縦連結体４１ｂにより支持することができる。また、貯蔵物の重心が第１縦連結体４１ａと第２縦連結体４１ｂとの間に配される場合は、貯蔵物を第１縦連結体４１ａにより支持することができる。
【００４７】
同様に、貯蔵物の重心が第２横連結体４２ｂよりも低い場合は、貯蔵物を第２横連結体４２ｂにより支持することができる。また、貯蔵物の重心が第１横連結体４２ａと第２横連結体４２ｂとの間に配される場合は、貯蔵物を第１横連結体４２ａにより支持することができる。
【００４８】
この時、第１縦連結体４１ａ及び第１横連結体４２ａの上端は収納領域の高さＨ０の５０％よりも高い位置に配される。このため、第１縦連結体４１ａよりも背の高い通常形態の貯蔵物の重心は第１縦連結体４１ａよりも低くなる。また、第１横連結体４２ａよりも背の高い通常形態の貯蔵物の重心は第１横連結体４２ａよりも低くなる。その結果、これらの貯蔵物が第１縦連結体４１ａや第１横連結体４２ａにより支持される。
【００４９】
また、第２縦連結体４１ｂ及び第２横連結体４２ｂの上端はそれぞれ第１縦連結体４１ａ及び第１横連結体４２ａの高さＨ１、Ｈ４の５０％よりも高い位置に配される。このため、第１縦連結体４１ａよりも背の低い通常形態の貯蔵物の重心は第２縦連結体４１ｂよりも低くなる。また、第１横連結体４２ａよりも背の低い通常形態の貯蔵物の重心は第２横連結体４２ｂよりも低くなる。その結果、これらの貯蔵物が第２縦連結体４１ｂや第２横連結体４２ｂにより支持される。
【００５０】
従って、第２縦連結体４１ｂまたは第２横連結体４２ｂよりも背の高い貯蔵物を確実に支持し、貯蔵物の転倒を防止することができる。
【００５１】
この時、第２縦連結体４１ｂ及び第２横連結体４２ｂよりも背の低い貯蔵物は支持することができない。このため、第２縦連結体４１ｂ及び第２横連結体４２ｂの高さＨ２、Ｈ５を収納領域の高さＨ０の５０％よりも小さくするとより望ましい。これにより、支持できない貯蔵物を減少させることができる。
【００５２】
また、第１縦連結体４１ａの高さＨ１を収納領域の高さＨ０の６０％よりも小さくし、第２縦連結体４１ｂの高さＨ２を第１縦連結体４１ａの高さＨ１の６０％よりも小さくしてもよい。これにより、第２縦連結体４１ｂを低く配置し、支持できない貯蔵物をより減少させることができる。
【００５３】
同様に、第１横連結体４２ａの高さＨ４を収納領域の高さＨ０の６０％よりも小さくし、第２横連結体４２ｂの高さＨ５を第１横連結体４２ａの高さＨ４の６０％よりも小さくしてもよい。これにより、第２横連結体４２ｂを低く配置し、支持できない貯蔵物をより減少させることができる。
【００５４】
尚、第１縦連結体４１ａの高さＨ１が収納領域の高さＨ０の５０％を超えて５０％近傍で、第２縦連結体４１ｂの高さＨ２が第１縦連結体４１ａの高さＨ１の５０％を超えて５０％近傍であるとよい。これにより、第２縦連結体４１ｂを低く配置するとともに、第２縦連結体４１ｂよりも背の高い貯蔵物を支持できる。
【００５５】
また、第１横連結体４２ａの高さＨ４が収納領域の高さＨ０の５０％を超えて５０％近傍で、第２横連結体４２ｂの高さＨ５が第１横連結体４２ａの高さＨ４の５０％を超えて５０％近傍であるとよい。これにより、第２横連結体４２ｂを低く配置するとともに、第２横連結体４２ｂよりも背の高い貯蔵物を支持できる。
【００５６】
次に、操作部８０は把持部８１、第１挟持部８２及び第２挟持部８３を有している。図７は操作部８０の正面図を示し、図８は操作部８０の把持部８１を省いた斜視図を示している。また、図９は図３のＡ−Ａ断面の操作部８０の縦断面図を示している。
【００５７】
図５〜図９において、操作部８０の把持部８１は第１横連結体４２ａの上方に配される。把持部８１の平面形状は略円形に形成され、縦断面は下面に開口部８１ｃを有した略Ｃ字状に形成される。把持部８１の外周面には複数の突起部８１ｂ（図３参照）が形成される。また、把持部８１は下端から内周側に突出する載置部８１ａが周方向に沿って所定の角度範囲に設けられる。載置部８１ａの上面は周方向に沿って水平に対して傾斜する傾斜面により形成される。
【００５８】
第１挟持部８２は上面を把持部８１の上壁内面に当接し、開口部８１ｃの下方に延びる筒部８２ａを有している。筒部８２ａの周壁には下面を開放した対向する溝部（不図示）が二対形成される。一方の一対の溝部は第１縦連結体４１ａが挿通され、溝部の上面から径方向に突出した当接部８２ｃが第１縦連結体４１ａに当接する。他方の一対の溝部は第１横連結体４２ａが挿通され、溝部の上面により形成される当接部８２ｄが第１横連結体４２ａに当接する。
【００５９】
第２挟持部８３は第１縦連結体４１ａの下方に配され、上面を開口した有底筒状に形成される。第１挟持部８２の筒部８２ａの下面と第２挟持部８３の底面との間には圧縮バネ８４が配される。これにより、上方に付勢される第１挟持部８２が把持部８１の内面に押圧され、第２挟持部８３が下方に付勢される。
【００６０】
第２挟持部８３は外筒８３ａと内筒８３ｂとを有し、外筒８３ａには上面を開放した対向する一対の溝部８３ｃ及び対向する一対の溝部８３ｄが形成される。溝部８３ｃには第１縦連結体４１ａが挿通され、溝部８３ｃよりも浅い溝部８３ｄには第１横連結体４２ａが挿通される。
【００６１】
従って、縦仕切部４１が挿通される挿通部の上部が第１挟持部８２の当接部８２ｃにより形成され、下部が第２挟持部８３の溝部８３ｃにより形成される。また、横仕切部４２が挿通される挿通部の上部が第１挟持部８２の当接部８２ｄにより形成され、下部が第２挟持部８３の溝部８３ｄにより形成される。
【００６２】
内筒８３ｂは溝部８３ｃと溝部８３ｄとの間に配され、開口部８１ｃを介して把持部８１内に進入する。内筒８３ｂの上端には径方向外側に突出して把持部８１の載置部８１ａ上に載置される鍔部８３ｅが設けられる。載置部８１ａの上面は周方向に沿って傾斜した傾斜面により形成されるため、把持部８１の回転により載置部８１ａと鍔部８３ｅとが摺動して第２挟持部８３を昇降させることができる。
【００６３】
上記構成の冷蔵庫１において、野菜室９の収納ケース３３を引き出すと、上段ケース３５内に貯蔵物を出し入れすることができる。操作部８０の把持部８１を把持して所定の回転位置に配置すると、第２挟持部８３が降下して第１縦連結体４１ａ及び第１横連結体４２ａから下方に離れる。これにより、第１縦連結体４１ａ及び第１横連結体４２ａと操作部８０との摺動摩擦が小さくなる。
【００６４】
把持部８１を把持して左右方向に移動させると、操作部８０が第１横連結体４２ａと摺動して縦仕切部４１が左右方向に平行移動する。また、操作部８０の把持部８１を把持して前後方向に移動させると、操作部８０が第１縦連結体４１ａと摺動して横仕切部４２が前後方向に平行移動する。これにより、縦仕切部４１及び横仕切部４２を容易に所望の位置に配置することができる。
【００６５】
一方、把持部８１を回転して第２挟持部８３を上昇させると、第１縦連結体４１ａ及び第１横連結体４２ａが第１挟持部８２と第２挟持部８３との間に挟持される。これにより、操作部８０を移動できない状態になる。即ち、操作部８０の移動をロックするロック機構が操作部８０に設けられる。
【００６６】
これにより、上段ケース３５内に配される貯蔵物が縦仕切部４１や横仕切部４２にもたれ掛けても縦仕切部４１や横仕切部４２の移動を防止することができる。
【００６７】
図１０、図１１は縦仕切部４１及び横仕切部４２を可動範囲の一端に配置した状態を示す上面図及び正面断面図である。縦仕切部４１及び横仕切部４２は操作部８０が可動部５０、６０の規制部５５、６５に当接して可動範囲が規制される。この時、操作部８０と操作部８０に近接する上段ケース３５の周壁との間には使用者の手指が入る程度（例えば、１０ｍｍ以上）の隙間が設けられる。これにより、操作部８０の操作する使用者の指詰めを防止することができる。
【００６８】
本実施形態によると、第１縦連結体４１ａ（第１連結体）の高さＨ１が収納領域の高さＨ０の５０％よりも大きく、第２縦連結体４１ｂ（第２連結体）の高さＨ２が第１縦連結体４１ａの高さＨ１の５０％よりも大きい。また、第１横連結体４２ａ（第１連結体）の高さＨ４が収納領域の高さＨ０の５０％よりも大きく、第２横連結体４２ｂ（第２連結体）の高さＨ５が第１横連結体４２ａの高さＨ４の５０％よりも大きい。これにより、第２縦連結体４１ｂや第２横連結体４２ｂよりも背の高い貯蔵物の転倒を防止することができ、冷蔵庫１の利便性を向上することができる。
【００６９】
また、第２縦連結体４１ｂの高さＨ２及び第２横連結体４２ｂの高さＨ５を収納領域の高さＨ０の５０％よりも小さくすると、第２縦連結体４１ｂや第２横連結体４２ｂよりも背が低いために支持されない貯蔵物を減少させることができる。従って、冷蔵庫の利便性をより向上することができる。
【００７０】
また、第１縦連結体４１ａの高さＨ１を収納領域の高さＨ０の６０％よりも小さくし、第２縦連結体４１ｂの高さＨ２を第１縦連結体４１ａの高さＨ１の６０％よりも小さくしてもよい。これにより、第２縦連結体４１ｂを容易に低く配置し、第２縦連結体４１ｂよりも背が低いために支持されない貯蔵物をより減少させることができる。
【００７１】
また、第１横連結体４２ａの高さＨ４を収納領域の高さＨ０の６０％よりも小さくし、第２横連結体４２ｂの高さＨ５を第１横連結体４２ａの高さＨ４の６０％よりも小さくしてもよい。これにより、第２横連結体４２ｂを容易に低く配置し、第２横連結体４２ｂよりも背が低いために支持されない貯蔵物をより減少させることができる。
【００７２】
尚、縦仕切部４１及び横仕切部４２の一方のみが各連結体を上記の高さに形成されていてもよい。これにより、縦仕切部４１及び横仕切部４２の一方に貯蔵物をもたれ掛けて支持し、貯蔵物の転倒を防止することができる。
【００７３】
また、金属部材の縦仕切部４１及び横仕切部４２が冷却時に可動部５０、６０の挿通孔５０ａ、６０ａにすきま嵌めされる。また、挿通孔５０ａ、６０ａの深さＤ１が金属部材の縦仕切部４１及び横仕切部４２の嵌合深さＤ２よりも大きい。このため、野菜室９の冷却による可動部５０、６０の移動時の操作性低下を防止することができる。
【００７４】
本実施形態において、第１、第２縦連結体４１ａ、４１ｂの間や、第２縦連結体４１ｂの下方に同様の連結体を設けてもよい。また、第１、第２横連結体４２ａ、４２ｂの間や、第２横連結体４２ｂの下方に同様の連結体を設けてもよい。
【００７５】
また、本実施形態において、第１、第２縦連結体４１ａ、４１ｂ及び第１、第２横連結体４２ａ、４２ｂを樹脂製の棒状部材や板状部材により形成してもよい。また、第１、第２縦連結体４１ａ、４１ｂ及び第１、第２横連結体４２ａ、４２ｂを可動部５０、６０に張架されるＰＰバンド等の帯状部材により形成してもよい。
【００７６】
＜第２実施形態＞
次に、図１４、図１５は第３実施形態の冷蔵庫１の上段ケース３５の要部を示す正面断面図及び側面断面図である。説明の便宜上、前述の図１〜図１１に示す第１実施形態と同様の部分には同一の符号を付している。本実施形態は縦仕切部４１が第２縦連結体４１ｂの下方に第３縦連結体４１ｃを有し、横仕切部４２が第２横連結体４２ｂの下方に第３横連結体４２ｃを有する。第３縦連結体４１ｃ及び第３横連結体４２ｃは所定の高さに配置される。その他の部分は第１実施形態と同様である。
【００７７】
上段ケース３５の底壁３５ｅの内面から第３縦連結体４１ｃの上端までの高さＨ３は、第２縦連結体４１ｂの高さＨ２の５０％よりも大きく形成される。上段ケース３５の底壁３５ｅの内面から第３横連結体４２ｃの上端までの高さＨ６は、第２横連結体４２ｂの高さＨ５の５０％よりも大きく形成される。尚、以下の説明において、高さＨ３、Ｈ６を「第３縦連結体の高さＨ３」、「第３横連結体の高さＨ６」という場合がある。
【００７８】
第３縦連結体４１ｃ及び第３横連結体４２ｃの上端はそれぞれ第２縦連結体４１ｂ及び第２横連結体４２ｂの高さＨ２、Ｈ５の５０％よりも高い位置に配される。このため、第２縦連結体４１ｂよりも背の低い通常形態の貯蔵物の重心は第３縦連結体４１ｃよりも低くなる。また、第２横連結体４２ｂよりも背の低い通常形態の貯蔵物の重心は第３横連結体４２ｃよりも低くなる。その結果、これらの貯蔵物が第３縦連結体４１ｃや第３横連結体４２ｃにより支持される。
【００７９】
また、第１、第２、第３縦連結体４１ａ、４１ｂ、４１ｃを以下のように配置してもよい。即ち、第１縦連結体４１ａの高さＨ１を収納領域の高さＨ０の６０％よりも小さく形成する。第２縦連結体４１ｂの高さＨ２を第１縦連結体４１ａの高さＨ１の６０％よりも小さく形成する。更に、第３縦連結体４１ｃの高さＨ３を第２縦連結体４１ｂの高さＨ２の６０％よりも小さく形成する。これにより、第３縦連結体４１ｃを低く配置し、支持できない貯蔵物をより減少させることができる。
【００８０】
同様に、第１、第２、第３横連結体４２ａ、４２ｂ、４２ｃを以下のように配置してもよい。即ち、第１横連結体４２ａの高さＨ４を収納領域の高さＨ０の６０％よりも小さく形成する。第２横連結体４２ｂの高さＨ５を第１横連結体４２ａの高さＨ４の６０％よりも小さく形成する。更に、第３横連結体４２ｃの高さＨ６を第２横連結体４２ｂの高さＨ５の６０％よりも小さく形成する。これにより、第３横連結体４２ｃを低く配置し、支持できない貯蔵物をより減少させることができる。
【００８１】
本実施形態によると、第１実施形態と同様の効果を得ることができる。加えて、第３縦連結体４１ｃの高さＨ３が第２縦連結体４１ｂの高さＨ２の５０％よりも大きいので、第２縦連結体４１ｂよりも背の低い貯蔵物の転倒を防止することができる。また、第３横連結体４２ｃの高さＨ６が第２横連結体４２ｂの高さＨ５の５０％よりも大きいので、第２横連結体４２ｂよりも背の低い貯蔵物の転倒を防止することができる。
【００８２】
本実施形態において、第１、第２、第３縦連結体４１ａ、４１ｂ、４１ｃの間や、第３縦連結体４１ｃの下方に同様の連結体を設けてもよい。また、第１、第２、第３横連結体４２ａ、４２ｂ、４２ｃの間や、第３横連結体４２ｃの下方に同様の連結体を設けてもよい。
【００８３】
また、本実施形態において、第１、第２、第３縦連結体４１ａ、４１ｂ、４１ｃ及び第１、第２、第３横連結体４２ａ、４２ｂ、４２ｃを樹脂製の棒状部材や板状部材により形成してもよい。また、第１、第２、第３縦連結体４１ａ、４１ｂ、４１ｃ及び第１、第２、第３横連結体４２ａ、４２ｂ、４２ｃを可動部５０、６０に張架されるＰＰバンド等の帯状部材により形成してもよい。
【００８４】
＜第３実施形態＞
次に、図１４、図１５は第３実施形態の冷蔵庫１の上段ケース３５の要部を示す正面断面図及び側面断面図である。説明の便宜上、前述の図１〜図１１に示す第１実施形態と同様の部分には同一の符号を付している。本実施形態は第１実施形態の縦仕切部４１及び横仕切部４２と構成の異なる縦仕切部４６及び横仕切部４７が設けられる。その他の部分は第１実施形態と同様である。
【００８５】
上段ケース３５の前壁３５ａ（図２参照）及び後壁３５ｂ上には左右方向に延びる上方を開放した断面Ｌ字状の案内レール７３、７８がそれぞれ突設される。
【００８６】
縦仕切部４６は樹脂成形品の板状部材から成り、前後端に案内レール７３に掛止される断面Ｌ字状の一対の可動部４６ｄ（第１可動部）が一体に設けられる。これにより、両方の可動部４６ｄは縦仕切部４６により連結され、案内レール７３に摺動して左右方向に移動する。また、縦仕切部４６は開口部４６ｃを介して上下方向に並設される第１縦連結体４６ａ及び第２縦連結体４６ｂを有している。
【００８７】
第１実施形態と同様に、第１縦連結体４６ａの高さＨ１は収納領域の高さＨ０の５０％よりも大きく形成される。第２縦連結体４６ｂの高さＨ２は第１縦連結体４６ａの高さＨ１の５０％よりも大きく形成される。これにより、第２縦連結体４６ｂよりも背の高い貯蔵物が縦仕切部４１により支持される。
【００８８】
横仕切部４７は樹脂成形品の板状部材から成り、左右端に案内レール７８に掛止される断面Ｌ字状の一対の可動部４７ｄ（第２可動部）が一体に設けられる。これにより、両方の可動部４７ｄは横仕切部４７により連結され、案内レール７８に摺動して前後方向に移動する。
【００８９】
また、横仕切部４７は縦仕切部４６の開口部４６ｃの内部に配され、開口部４６ｃ内を前後方向に移動する。この時、横仕切部４７の下端は第２縦連結体４６ｂに近接される。上段ケース３５の底壁３５ｅの内面から横仕切部４７の上端までの高さＨ７は収納領域の高さＨ０の５０％よりも大きく形成される。このため、横仕切部４７の上端よりも背の高い通常形態の貯蔵物の重心は横仕切部４７の上端よりも低くなる。従って、横仕切部４７の上端よりも背の高い貯蔵物及び上端と下端との間の高さの貯蔵物を横仕切部４７により支持することができる。
【００９０】
また、上段ケース３５の底壁３５ｅの内面から横仕切部４７の下端までの高さＨ８は第２縦連結体４６ｂの高さＨ２よりも大きい。尚、以下の説明において、高さＨ７、Ｈ８を「横仕切部４７の上端の高さＨ７」、「横仕切部４７の下端の高さＨ８」という場合がある。
【００９１】
この時、横仕切部４７の下端よりも背の低い貯蔵物は支持することができない。このため、横仕切部４７の下端の高さＨ８を収納領域の高さＨ０の５０％よりも小さくするとより望ましい。これにより、支持できない貯蔵物を減少させることができる。
【００９２】
また、第１縦連結体４６ａの高さＨ１が収納領域の高さＨ０の６０％よりも小さく、第２縦連結体４６ｂの高さＨ２が第１縦連結体４６ａの高さＨ１の６０％よりも小さく形成するとより望ましい。これにより、第２縦連結体４６ｂに近接する横仕切部４７の下端を低く配置し、支持できない貯蔵物をより減少させることができる。
【００９３】
操作部８０は第１実施形態と同様に把持部８１、第１挟持部８２（図５参照）、第２挟持部８３及び圧縮バネ８４（図５参照）を備えている。第１挟持部８２には縦仕切部４６の第１縦連結体４６ａの上面に当接する当接部８２ｃと、横仕切部４７の上面に当接する当接部８２ｄとが設けられる。第２挟持部８３には縦仕切部４６の第１縦連結体４６ａが挿入される溝部８３ｃと、横仕切部４７が挿入される溝部８３ｄとが設けられる。
【００９４】
当接部８２ｃと溝部８３ｃにより、縦仕切部４１が挿通される挿通部（不図示）が形成される。また、当接部８２ｄと溝部８３ｄにより、横仕切部４２が挿通される挿通部（不図示）が形成される。
【００９５】
上記構成の冷蔵庫１において、操作部８０の把持部８１を把持して所定の回転位置に配置すると、第２挟持部８３が降下して第１縦連結体４６ａ及び横仕切部４７から下方に離れる。把持部８１を把持して左右方向に移動させると、操作部８０が横仕切部４７と摺動して縦仕切部４６が左右方向に平行移動する。
【００９６】
また、操作部８０の把持部８１を把持して前後方向に移動させると、操作部８０が第１縦連結体４６ａと摺動して横仕切部４７が前後方向に平行移動する。これにより、縦仕切部４６及び横仕切部４７を容易に所望の位置に配置することができる。
【００９７】
一方、把持部８１を回転して第２挟持部８３を上昇させると、第１縦連結体４６ａ及び横仕切部４７が第１挟持部８２と第２挟持部８３との間に挟持される。これにより、操作部８０を移動できない状態になる。即ち、操作部８０の移動をロックするロック機構が操作部８０に設けられる。
【００９８】
本実施形態によると、第１実施形態と同様に、第１縦連結体４６ａ（第１連結体）の高さＨ１が収納領域の高さＨ０の５０％よりも大きく、第２縦連結体４６ｂ（第２連結体）の高さＨ２が第１縦連結体４６ａの高さＨ１の５０％よりも大きい。これにより、第２縦連結体４６ｂよりも背の高い貯蔵物の転倒を防止することができる。
【００９９】
また、板状部材から成る横仕切部４７の上端の高さＨ７が収納領域の高さＨ０の５０％よりも大きい。これにより、横仕切部４７の下端よりも背の高い貯蔵物の転倒を防止することができる。
【０１００】
また、横仕切部４７の下端の高さＨ８を収納領域の高さＨ０の５０％よりも小さくすると、横仕切部４７の下端よりも背が低いために支持されない貯蔵物を減少させることができる。従って、冷蔵庫１の利便性をより向上することができる。
【０１０１】
また、第１縦連結体４６ａの高さＨ１を収納領域の高さＨ０の６０％よりも小さく、第２縦連結体４６ｂの高さＨ２を第１縦連結体４６ａの高さＨ１の６０％よりも小さくしてもよい。これにより、第２縦連結体４６ｂに近接する横仕切部４７の下端を低く配置し、横仕切部４７の下端よりも背が低いために支持されない貯蔵物を減少させることができる。
【０１０２】
本実施形態において、横仕切部４７が上下に並設される第１連結体及び第２連結体を有し、縦仕切部４６を横仕切部４７の第１、第２連結体間に嵌合される板状部材により形成してもよい。
【０１０３】
また、第１〜第３実施形態において、操作部８０により平行移動する縦仕切部４１、４６及び横仕切部４２、４７が収納ケースを形成する上段ケース３５に設けられるが、下段ケース３４や収納ケース３１、３２に設けてもよい。
【産業上の利用可能性】
【０１０４】
本発明によると、収納ケース内に仕切りを設けた冷蔵庫に利用することができる。
【符号の説明】
【０１０５】
１    冷蔵庫
２    本体部
３    断熱箱体
５    冷蔵室
７、８  冷凍室
９    野菜室
１１、１２  仕切壁
１５、１７、１８、１９  扉
２０    機械室
２１    圧縮機
２２    冷却器
２３    送風機
２４、２５  冷気通路
３１、３２、３３  収納ケース
３４    下段ケース
３５    上段ケース
３５ａ  前壁
３５ｂ  後壁
３５ｃ  側壁
４１、４６  縦仕切部
４１ａ、４６ａ  第１縦連結体
４１ｂ、４６ｂ  第２縦連結体
４１ｃ  第３縦連結体
４２、４７  横仕切部
４２ａ  第１横連結体
４２ｂ  第２横連結体
４２ｃ  第３横連結体
４６ｄ、４７ｄ  可動部
５０、６０  可動部
５０ａ、６０ａ  挿通孔
５２、６２  嵌合部
５３、６３  フランジ
５４、６４  延設部
５５、６５  規制部
７０、７５  案内溝
７２、７７  レール部材
７２ａ、７７ａ  係止部
７３、７８  レール部
８０    操作部
８１    把持部
８１ａ  載置部
８１ｃ  開口部
８２    第１挟持部
８２ａ  筒部
８２ｃ、８２ｄ  当接部
８３    第２挟持部
８３ａ  外筒
８３ｂ  内筒
８３ｃ、８３ｄ  溝部
８３ｅ  鍔部
８４    圧縮バネ
【図１】
2015190728.tif 000003
【図２】
2015190728.tif 000004
【図３】
2015190728.tif 000005
【図４】
2015190728.tif 000006
【図５】
2015190728.tif 000007
【図６】
2015190728.tif 000008
【図７】
2015190728.tif 000009
【図８】
2015190728.tif 000010
【図９】
2015190728.tif 000011
【図１０】
2015190728.tif 000012
【図１１】
2015190728.tif 000013
【図１２】
2015190728.tif 000014
【図１３】
2015190728.tif 000015
【図１４】
2015190728.tif 000016
【図１５】
2015190728.tif 000017